(57)【要約】【課題】本発明は、発言内容の検索が便利な記録システム及びその方法、音声入力装置、音声記録装置及びその方法を提供する。【解決手段】本発明に係る記録システムは、ＲＦＩＤリーダー、マイクロフォン、マイクロフォンの識別子を記憶している記憶ユニット、及び通信ユニットを備える複数の音声入力装置と、音声記録装置と、を備え、ＲＦＩＤリーダーは、ＲＦＩＤタグに記憶されている発言者の個人情報を受信し、マイクロフォンは、発言者が発言した音声を取得し、記憶ユニットには、マイクロフォンの識別子が記憶され、通信ユニットは、個人情報、識別子及び取得した音声を音声記録装置に伝送し、音声記録装置は、関連モジュール、音声受信モジュール、テキスト変換モジュール及び生成モジュールを備える。【選択図】図２
2013161086.tif 000002
【特許請求の範囲】
【請求項１】
複数の音声入力装置及び音声記録装置を備える記録システムにおいて、
各々の音声入力装置は、ＲＦＩＤリーダー、マイクロフォン、記憶ユニット及び通信ユニットを備え、
前記ＲＦＩＤリーダーは、ＲＦＩＤタグに記憶されている発言者の個人情報を受信し、
前記マイクロフォンは、発言者が発言した音声を取得し、
前記記憶ユニットには、前記マイクロフォンの識別子が記憶され、
前記通信ユニットは、前記個人情報、前記識別子及び取得した音声を前記音声記録装置に伝送し、
前記音声記録装置は、関連モジュール、音声受信モジュール、テキスト変換モジュール及び生成モジュールを備え、
前記関連モジュールは、前記通信ユニットが伝送した前記マイクロフォンの識別子及び前記個人情報を受信し、且つその識別子に対応するマイクロフォンとその個人情報とを関連させ、
前記音声受信モジュールは、前記マイクロフォンを介して入力された発言者の音声を受信し、その音声と該音声が入力されたマイクロフォンに対応する発言者の個人情報とを関連させ、
前記テキスト変換モジュールは、前記関連された音声をテキストに変換し、且つ前記音声と前記個人情報の関連関係とに基づいて、変換されたテキストと対応する個人情報とを関連させ、
前記生成モジュールは、前記テキスト変換モジュールによって変換されたテキスト及び前記テキストに関連される個人情報に基づいて、記録ファイルを生成することを特徴とする記録システム。
【請求項２】
前記音声受信モジュールは、前記マイクロフォンを介して入力された前記発言者の音声を受信する際に前記発言者の発言時間も記録し、
前記生成モジュールは、前記テキスト変換モジュールによって変換されたテキストと、前記テキストに関連される個人情報及び前記発言時間とに基づいて、記録ファイルを生成することを特徴とする請求項１に記載の記録システム。
【請求項３】
ＲＦＩＤタグに記憶されている発言者の個人情報を受信するＲＦＩＤリーダーと、
前記発言者が発言した音声を取得するマイクロフォンと、
前記マイクロフォンの識別子が記憶されている記憶ユニットと、
前記個人情報、前記識別子及び前記取得した音声を音声記録装置に伝送する通信ユニットと、を備えることを特徴とする音声入力装置。
【請求項４】
音声入力装置の通信ユニットからのマイクロフォンの識別子及び個人情報を受信し、且つその識別子に対応するマイクロフォンと前記個人情報とを関連させる関連モジュールと、
前記マイクロフォンを介して入力された発言者の音声を受信し、その音声とそのマイクロフォンに対応する発言者の個人情報とを関連させる音声受信モジュールと、
前記関連された音声をテキストに変換し、且つ前記音声と前記個人情報の関連関係とに基づいて、前記変換されたテキストと対応する個人情報とを関連させるテキスト変換モジュールと、
前記テキスト変換モジュールによって変換されたテキスト及び前記テキストに関連される個人情報に基づいて、記録ファイルを生成する生成モジュールと、
を備えることを特徴とする音声記録装置。
【請求項５】
前記音声受信モジュールは、前記マイクロフォンを介して入力された前記発言者の音声を受信する際に前記発言者の発言時間も記録し、
前記生成モジュールは、前記テキスト変換モジュールによって変換されたテキストと、前記テキストに関連される個人情報及び前記発言時間とに基づいて、記録ファイルを生成することを特徴とする請求項４に記載の音声記録装置。
【請求項６】
ＲＦＩＤリーダー、マイクロフォン、前記マイクロフォンの識別子を記憶している記憶ユニット、及び通信ユニットを備える複数の音声入力装置と、音声記録装置と、を備える記録システムに応用される記録方法において、
前記ＲＦＩＤリーダーを介して、ＲＦＩＤタグに記憶されている発言者の個人情報を取得するステップと、
前記マイクロフォンを介して、発言者が発言した音声を取得するステップと、
前記通信ユニットを介して、前記個人情報、前記マイクロフォンの識別子及び前記取得した音声を前記音声記録装置に伝送するステップと、
前記音声記録装置を介して、前記通信ユニットが伝送した前記マイクロフォンの識別子及び前記個人情報を受信し、且つその識別子に対応するマイクロフォンとその個人情報とを関連させるステップと、
前記音声記録装置を介して、前記マイクロフォンを介して入力された発言者の音声を受信し、その音声と該音声が入力されるマイクロフォンに対応する発言者の個人情報とを関連させるステップと、
前記音声記録装置を介して、前記関連された音声をテキストに変換し、且つ前記音声と前記個人情報の関連関係とに基づいて、変換されたテキストと対応する個人情報とを関連させるステップと、
前記音声記録装置を介して、前記テキスト変換モジュールによって変換されたテキスト及び前記テキストに関連される個人情報に基づいて、記録ファイルを生成するステップと、
を含むことを特徴とする記録方法。
【請求項７】
前記記録方法は、発言者の発言時間を記録するステップと、前記テキスト変換モジュールによって変換されたテキスト、前記テキストに関連される個人情報及び前記発言時間に基づいて、記録ファイルを生成するステップと、をさらに含むことを特徴とする請求項６に記載の記録方法。
【請求項８】
音声入力装置の通信ユニットからのマイクロフォンの識別子及び個人情報を受信し、且つその識別子に対応するマイクロフォンと前記個人情報とを関連させるステップと、
前記マイクロフォンを介して入力された発言者の音声を受信し、その音声とそのマイクロフォンに対応する発言者の個人情報とを関連させるステップと、
前記関連された音声をテキストに変換し、且つ前記音声と前記個人情報の関連関係に基づいて、前記変換されたテキストと対応する個人情報とを関連させるステップと、
前記テキスト変換モジュールによって変換されたテキスト及び前記テキストに関連される個人情報に基づいて、記録ファイルを生成するステップと、
を備えることを特徴とする音声記録方法。
【請求項９】
前記音声記録方法は、発言者の発言時間を記録するステップと、前記テキスト変換モジュールによって変換されたテキストと、前記テキストに関連される個人情報及び前記発言時間に基づいて、記録ファイルを生成するステップと、をさらに含むことを特徴とする請求項８に記載の音声記録方法。
【発明の詳細な説明】
【技術分野】
【０００１】
本発明は、会議中における発言者の発言内容（会議内容）を記録できる記録システム及びその方法、音声入力装置、音声記録装置及びその方法に関するものである。
【背景技術】
【０００２】
現在、会議中において、動画方式または録音方式によって会議内容を記録する。しかし、会議後に、ある発言者の発言内容を確認したい場合、全ての動画（又は録音）を再生しなければならないので確認に時間が掛かる。
【発明の概要】
【発明が解決しようとする課題】
【０００３】
以上の問題点に鑑みて、本発明は、発言内容の検索が便利な記録システム及びその方法、音声入力装置、音声記録装置及びその方法を提供することを目的とする。
【課題を解決するための手段】
【０００４】
前記課題を解決するために、本発明に係る記録システムは、複数の音声入力装置及び音声記録装置を備える。各々の音声入力装置は、ＲＦＩＤリーダー、マイクロフォン、記憶ユニット及び通信ユニットを備え、前記ＲＦＩＤリーダーは、ＲＦＩＤタグに記憶されている発言者の個人情報を受信し、前記マイクロフォンは、発言者が発言した音声を取得し、前記記憶ユニットには、前記マイクロフォンの識別子が記憶され、前記通信ユニットは、前記個人情報、前記識別子及び取得した音声を前記音声記録装置に伝送し、前記音声記録装置は、関連モジュール、音声受信モジュール、テキスト変換モジュール及び生成モジュールを備え、前記関連モジュールは、前記通信ユニットが伝送した前記マイクロフォンの識別子及び前記個人情報を受信し、且つその識別子に対応するマイクロフォンとその個人情報とを関連させ、前記音声受信モジュールは、前記マイクロフォンを介して入力された発言者の音声を受信し、その音声と該音声が入力されたマイクロフォンに対応する発言者の個人情報とを関連させ、前記テキスト変換モジュールは、前記関連された音声をテキストに変換し、且つ前記音声と前記個人情報の関連関係とに基づいて、変換されたテキストと対応する個人情報とを関連させ、前記生成モジュールは、前記テキスト変換モジュールによって変換されたテキスト及び前記テキストに関連される個人情報に基づいて、記録ファイルを生成する。
【０００５】
また、前記課題を解決するために、本発明に係る音声入力装置は、ＲＦＩＤタグに記憶されている発言者の個人情報を受信するＲＦＩＤリーダーと、前記発言者が発言した音声を取得するマイクロフォンと、前記マイクロフォンの識別子が記憶されている記憶ユニットと、前記個人情報、前記識別子及び前記取得した音声を音声記録装置に伝送する通信ユニットと、を備える。
【０００６】
また、前記課題を解決するために、本発明に係る音声記録装置は、音声入力装置の通信ユニットからのマイクロフォンの識別子及び個人情報を受信し、且つその識別子に対応するマイクロフォンと前記個人情報とを関連させる関連モジュールと、前記マイクロフォンを介して入力された発言者の音声を受信し、その音声とそのマイクロフォンに対応する発言者の個人情報とを関連させる音声受信モジュールと、前記関連された音声をテキストに変換し、且つ前記音声と前記個人情報の関連関係とに基づいて、前記変換されたテキストと対応する個人情報とを関連させるテキスト変換モジュールと、前記テキスト変換モジュールによって変換されたテキスト及び前記テキストに関連される個人情報に基づいて、記録ファイルを生成する生成モジュールと、を備える。
【０００７】
また、前記課題を解決するために、本発明に係る記録方法は、ＲＦＩＤリーダー、マイクロフォン、前記マイクロフォンの識別子を記憶している記憶ユニット、及び通信ユニットを備える複数の音声入力装置と、音声記録装置と、を備える記録システムに応用される。記録方法は、前記ＲＦＩＤリーダーを介して、ＲＦＩＤタグに記憶されている発言者の個人情報を取得するステップと、前記マイクロフォンを介して、発言者が発言した音声を取得するステップと、前記通信ユニットを介して、前記個人情報、前記マイクロフォンの識別子及び前記取得した音声を前記音声記録装置に伝送するステップと、前記音声記録装置を介して、前記通信ユニットが伝送した前記マイクロフォンの識別子及び前記個人情報を受信し、且つその識別子に対応するマイクロフォンとその個人情報とを関連させるステップと、前記音声記録装置を介して、前記マイクロフォンを介して入力された発言者の音声を受信し、その音声と該音声が入力されるマイクロフォンに対応する発言者の個人情報とを関連させるステップと、前記音声記録装置を介して、前記関連された音声をテキストに変換し、且つ前記音声と前記個人情報の関連関係とに基づいて、変換されたテキストと対応する個人情報とを関連させるステップと、前記音声記録装置を介して、前記テキスト変換モジュールによって変換されたテキスト及び前記テキストに関連される個人情報に基づいて、記録ファイルを生成するステップと、を含む。
【０００８】
また、前記課題を解決するために、本発明に係る音声記録方法は、音声入力装置の通信ユニットからのマイクロフォンの識別子及び個人情報を受信し、且つその識別子に対応するマイクロフォンと前記個人情報とを関連させるステップと、前記マイクロフォンを介して入力された発言者の音声を受信し、その音声とそのマイクロフォンに対応する発言者の個人情報とを関連させるステップと、前記関連された音声をテキストに変換し、且つ前記音声と前記個人情報の関連関係とに基づいて、前記変換されたテキストと対応する個人情報とを関連させるステップと、前記テキスト変換モジュールによって変換されたテキスト及び前記テキストに関連される個人情報に基づいて、記録ファイルを生成するステップと、を備える。
【発明の効果】
【０００９】
本発明は、音声入力装置のＲＦＩＤリーダーが、ＲＦＩＤタグからの発言者の個人情報を受信し、該音声入力装置の通信ユニットが、該個人情報及びマイクロフォンの識別子を音声記録装置に伝送し、音声記録装置が、該マイクロフォンの識別子と該個人情報とを関連させて、発言者の音声を受信し、且つ該音声と該個人情報とを関連させた後、該関連された音声をテキストに変換させ、そのテキストと該個人情報とを関連させ、該テキスト及び該個人情報に基づいて記録ファイルを生成する。従って、発言内容の検索が便利である。
【図面の簡単な説明】
【００１０】
【図１】本発明に係る記録システムを示す図である。
【図２】図１に示した記録システムの機能を示すブロック図である。
【図３】本発明に係る記録方法のフローチャートである。
【発明を実施するための形態】
【００１１】
以下、図面に基づいて、本発明に係る記録システム及びその方法、音声入力装置、音声記録装置及びその方法について詳細に説明する。
【００１２】
図１及び図２を参照すると、本発明に係る記録システムは、複数のＲＦＩＤ（Ｒａｄｉｏ  Ｆｒｅｑｕｅｎｃｙ  ＩＤｅｎｔｉｆｉｃａｔｉｏｎ）タグ１０Ａ，１０Ｂ…１０Ｉ，１０Ｊ，１０Ｋ（図２では、１０と示す）、複数の音声入力装置２０Ａ，２０Ｂ…２０Ｉ，２０Ｊ、２０Ｋ（図２では、２０と示す）及び音声記録装置３０を備える。各ＲＦＩＤタグ１０Ａ，１０Ｂ…１０Ｉ，１０Ｊ，１０Ｋは、各発言者Ａ，Ｂ，…Ｉ，Ｊ，Ｋによって各々携帯される。会議テーブルには、発言者Ａ，Ｂ，…Ｉ，Ｊ，Ｋの座席に対応して音声入力装置２０Ａ，２０Ｂ…２０Ｉ，２０Ｊ，２０Ｋが各々設置されている。この音声入力装置２０Ａ，２０Ｂ…２０Ｉ，２０Ｊ、２０ＫとＲＦＩＤタグ１０Ａ，１０Ｂ…１０Ｉ，１０Ｊ，１０Ｋとは無線周波数によって通信を行う。音声入力装置２０Ａ，２０Ｂ…２０Ｉ，２０Ｊ，２０Ｋと音声記録装置３０は有線方式又は無線方式によって互いに通信を行う。
【００１３】
ＲＦＩＤタグ１０Ａ，１０Ｂ…１０Ｉ，１０Ｊ，１０Ｋは、その内部に設置されたアンテナを備える。また、ＲＦＩＤタグ１０Ａ，１０Ｂ…１０Ｉ，１０Ｊ，１０Ｋには、ＥＰＣコード（Ｅｌｅｃｔｒｏｎｉｃ  Ｐｒｏｄｕｃｔ  Ｃｏｄｅ)が記憶されており、該ＥＰＣコードには、発言者の姓名、顔写真、職名等のような個人情報が記録されている。
【００１４】
各音声入力装置２０Ａ，２０Ｂ…２０Ｉ，２０Ｊ，２０Ｋは、ＲＦＩＤリーダー２１Ａ，２１Ｂ…２１Ｉ，２１Ｊ，２１Ｋ（図２では、２１と示す）、マイクロフォン２２Ａ，２２Ｂ…２２Ｉ，２２Ｊ，２２Ｋ（図２では、２２と示す）、記憶ユニット２３及び通信ユニット２４を備える。本実施形態において、ＲＦＩＤリーダー２１Ａ，２１Ｂ…２１Ｉ，２１Ｊ，２１Ｋは、その内部にアンテナを備えるが、他の実施形態において、ＲＦＩＤリーダー２１Ａ，２１Ｂ…２１Ｉ，２１Ｊ，２１Ｋは、外部にアンテナを備えることもできる。ＲＦＩＤリーダー２１Ａ，２１Ｂ…２１Ｉ，２１Ｊ，２１Ｋの内部に設置されたアンテナは、無線周波数によって、ＲＦＩＤタグ１０Ａ，１０Ｂ…１０Ｉ，１０Ｊ，１０Ｋのアンテナと通信を行う。マイクロフォン２２Ａ，２２Ｂ…２２Ｉ，２２Ｊ，２２Ｋは、発言者が発言した音声を取得する。記憶ユニット２３には、対応するマイクロフォン２２Ａ，２２Ｂ…２２Ｉ，２２Ｊ，２２Ｋの識別子（Ｉｄｅｎｔｉｆｉｅｒ）が記憶される。通信ユニット２４は、個人情報、マイクロフォン２２Ａ，２２Ｂ…２２Ｉ，２２Ｊ，２２Ｋの識別子及び取得した発言者Ａ，Ｂ，…Ｉ，Ｊ，Ｋの音声を音声記録装置３０に伝送する。
【００１５】
音声記録装置３０は、データベース３１及びプロセッサー３２を備える。プロセッサー３２は、関連モジュール３２１、音声受信モジュール３２２、テキスト変換モジュール（ｖｏｉｃｅ−ｔｏ−ｔｅｘｔ  ｍｏｄｕｌｅ）３２３及び生成モジュール３２４を備える。
【００１６】
ＲＦＩＤタグ１０Ａ，１０Ｂ…１０Ｉ，１０Ｊ，１０Ｋと音声入力装置２０Ａ，２０Ｂ…２０Ｉ，２０Ｊ，２０Ｋとの間の距離が一定の範囲内になると、ＲＦＩＤタグ１０Ａ，１０Ｂ…１０Ｉ，１０Ｊ，１０Ｋは、内部に記録されているＥＰＣコードを音声入力装置２０Ａ，２０Ｂ…２０Ｉ，２０Ｊ，２０ＫのＲＦＩＤリーダー２１Ａ，２１Ｂ…２１Ｉ，２１Ｊ，２１Ｋに伝送する。本実施形態において、ＲＦＩＤタグ１０Ａ，１０Ｂ…１０Ｉ，１０Ｊ，１０Ｋは、アクティブ型ＲＦＩＤタグであるが、他の本実施形態において、ＲＦＩＤタグ１０Ａ，１０Ｂ…１０Ｉ，１０Ｊ，１０Ｋは、パッシブ型又はセミパッシブ型ＲＦＩＤタグであることもできる。
【００１７】
音声入力装置２０Ａ，２０Ｂ…２０Ｉ，２０Ｊ，２０ＫのＲＦＩＤリーダー２１Ａ，２１Ｂ…２１Ｉ，２１Ｊ，２１ＫがＲＦＩＤタグ１０Ａ，１０Ｂ…１０Ｉ，１０Ｊ，１０ＫからのＥＰＣコードを受信すると、通信ユニット２４は、該ＥＰＣコード及び記憶ユニット２３に記憶されているマイクロフォン２２Ａ，２２Ｂ…２２Ｉ，２２Ｊ，２２Ｋの識別子を音声記録装置３０に伝送する。例えば、発言者Ａが携帯しているＲＦＩＤタグ１０Ａが音声入力装置２０Ａに近接する（つまり、一定の範囲内になる）と、通信ユニット２４は、発言者Ａの個人情報及び音声入力装置２０Ａのマイクロフォン２２Ａの識別子を音声記録装置３０に伝送する。また、発言者Ａが携帯しているＲＦＩＤタグ１０Ａ，１０Ｂ…１０Ｉ，１０Ｊ，１０Ｋが他の音声入力装置（例えば、２０Ｂ、・・・、２０Ｋ）に近接した場合も同様である。
【００１８】
音声記録装置３０の関連モジュール３２１は、通信ユニット２４が伝送したマイクロフォン２２Ａ，２２Ｂ…２２Ｉ，２２Ｊ，２２Ｋの識別子及び発言者Ａ，Ｂ…Ｉ，Ｊ，Ｋの個人情報を受信し、且つその識別子に対応するマイクロフォン２２Ａ，２２Ｂ…２２Ｉ，２２Ｊ，２２Ｋとその発言者Ａ，Ｂ…Ｉ，Ｊ，Ｋの個人情報とを各々関連させる。例えば、音声記録装置３０が発言者Ａの個人情報及び音声入力装置２０Ａのマイクロフォン２２Ａの識別子を受信した場合、関連モジュール３２１は、発言者Ａの個人情報とその識別子に対応するマイクロフォン２２Ａとを関連させる。即ち、該音声入力装置２０Ａのマイクロフォン２２Ａを介して入力された音声が発言者Ａの発言であることを表す。
【００１９】
音声記録装置３０の音声受信モジュール３２２は、対応するマイクロフォン２２Ａ，２２Ｂ…２２Ｉ，２２Ｊ，２２Ｋを介して入力された発言者の音声を受信し、且つ発言者の発言時間を記録する一方、入力された音声と該音声が入力されたマイクロフォン２２Ａ，２２Ｂ…２２Ｉ，２２Ｊ，２２Ｋに対応する発言者の個人情報とを関連させた後、その関連関係をデータベース３１に記憶させる。例えば、発言者Ａが音声入力装置２０Ａのマイクロフォン２２Ａを介して音声を入力し、発言時間が９：００〜９：２９分であった場合、音声受信モジュール３２２は、発言者Ａが入力した音声を受信し、その音声が音声入力装置２０Ａのマイクロフォン２２Ａを介して入力されたことを確認した後、音声入力装置２０Ａのマイクロフォン２２Ａに関連する発言者Ａの個人情報をさらに確定し、音声と発言者Ａの個人情報とを関連させた後、その関連関係をデータベース３１に記憶させる。
【００２０】
音声記録装置３０のテキスト変換モジュール３２３は、関連された音声をテキストに変換し、且つ該音声と個人情報との関連関係に基づいて、変換されたテキストと、対応する個人情報とを関連させる。
【００２１】
音声記録装置３０の生成モジュール３２４は、テキスト変換モジュール３２３によって変換されたテキストと、該テキストに関連された個人情報及び記録時間とに基づいて、記録ファイルを生成し、その記録ファイルをデータベース３１に記憶させる。例えば、発言者を発言者Ａとし、発言時間を９：００〜９：２９分とし、発言者Ａの発言が変換されたテキストをテキストＡとした場合、生成された記録ファイルには、時間：９：００〜９：２９分、発言者：発言者Ａ、発言内容：テキストＡと記録される。
【００２２】
以下、図３を参照しながら、本発明に係る記録方法について詳細に説明する。記録方法は、以下のステップＳ３０１〜Ｓ３０６を含む。
【００２３】
ステップＳ３０１では、ＲＦＩＤタグ１０Ａ，１０Ｂ…１０Ｉ，１０Ｊ，１０Ｋと音声入力装置２０との間の距離が一定の範囲になると、ＲＦＩＤタグ１０Ａ，１０Ｂ…１０Ｉ，１０Ｊ，１０Ｋは、自身に記録されているＥＰＣコードを音声入力装置２０のＲＦＩＤリーダー２１Ａ，２１Ｂ…２１Ｉ，２１Ｊ，２１Ｋに伝送する。本実施形態において、ＲＦＩＤタグ１０はアクティブ型ＲＦＩＤタグであるが、他の本実施形態において、ＲＦＩＤタグ１０はパッシブ型又はセミパッシブ型ＲＦＩＤタグであることもできる。
【００２４】
ステップＳ３０２では、音声入力装置２０のＲＦＩＤリーダー２１Ａ，２１Ｂ…２１Ｉ，２１Ｊ，２１ＫがＲＦＩＤタグ１０Ａ，１０Ｂ…１０Ｉ，１０Ｊ，１０ＫからのＥＰＣコードを受信すると、通信ユニット２４が、該ＥＰＣコード及び記憶ユニット２３に記憶されているマイクロフォン２２Ａ，２２Ｂ…２２Ｉ，２２Ｊ，２２Ｋの識別子を音声記録装置３０に伝送する。
【００２５】
ステップＳ３０３では、音声記録装置３０の関連モジュール３２１が、通信ユニット２４が伝送したマイクロフォン２２Ａ，２２Ｂ…２２Ｉ，２２Ｊ，２２Ｋの識別子及び発言者の個人情報を受信し、且つその識別子に対応するマイクロフォン２２Ａ，２２Ｂ…２２Ｉ，２２Ｊ，２２Ｋとその発言者の個人情報とを関連させる。
【００２６】
ステップＳ３０４では、音声記録装置３０の音声受信モジュール３２２が、対応するマイクロフォン２２Ａ，２２Ｂ…２２Ｉ，２２Ｊ，２２Ｋを介して入力された発言者の音声を受信し、且つ発言者の発言時間を記録する一方、入力された音声と該音声が入力されたマイクロフォン２２Ａ，２２Ｂ…２２Ｉ，２２Ｊ，２２Ｋに対応する発言者Ａ，Ｂ…Ｉ，Ｊ，Ｋの個人情報とを関連させた後、その関連関係をデータベース３１に記憶させる。
【００２７】
ステップＳ３０５では、音声記録装置３０のテキスト変換モジュール３２３が、その関連された音声をテキストに変換し、且つ該音声と個人情報との関連関係に基づいて、変換されたテキストと対応する個人情報とを関連させる。
【００２８】
ステップＳ３０６では、音声記録装置３０の生成モジュール３２４は、テキスト変換モジュール３２３によって変換されたテキストと、該テキストに関連される個人情報及び記録時間とに基づいて、記録ファイルを生成し、その記録ファイルをデータベース３１に記憶させる。
【００２９】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３０】
１０Ａ，１０Ｂ…１０Ｉ，１０Ｊ，１０Ｋ  ＲＦＩＤタグ
２０Ａ，２０Ｂ…２０Ｉ，２０Ｊ，２０Ｋ  音声入力装置
２１Ａ，２１Ｂ…２１Ｉ，２１Ｊ，２１Ｋ  ＲＦＩＤリーダー
２２Ａ，２２Ｂ…２２Ｉ，２２Ｊ，２２Ｋ  マイクロフォン
２３  記憶ユニット
２４  通信ユニット
３０  音声記録装置
３１  データベース
３２  プロセッサー
３２１  関連モジュール
３２２  音声受信モジュール
３２３  テキスト変換モジュール
３２４  生成モジュール
【図１】
2013161086.tif 000003
【図２】
2013161086.tif 000004
【図３】
2013161086.tif 000005